(57)【要約】  本発明は、３Ｄ表示制御方法および３Ｄ表示制御装置に関する。前記３Ｄ表示制御方法は、現在のフレームの画像中におけるディスプレーパネル上の各列のサブピクセルに対応する左眼の画像データ又は右眼の画像データを順次に取得するステップと、前記各列のサブピクセルに対応する左眼の画像データ又は右眼の画像データに基づいて現在のフレームの画像中における各列のサブピクセルが表示する画像を順次に更新する同時に、現在のフレームの画像に対応する格子装置の遮光領域と透光領域とを更新して、裸眼３Ｄ画像の表示を実現するステップと、を含む。
2016514389.tif 000002
【特許請求の範囲】
【請求項１】
現在のフレームの画像中におけるディスプレーパネル上の各列のサブピクセルに対応する左眼の画像データ又は右眼の画像データを順次に取得するステップと、
前記各列のサブピクセルに対応する左眼の画像データ又は右眼の画像データに基づいて、現在のフレームの画像中における各列のサブピクセルが表示する画像を順次に更新する同時に、直前のフレームの画像に対応する格子装置の遮光領域と透光領域とを更新して、裸眼３Ｄ画像の表示を実現するステップと、
を含むことを特徴とする３Ｄ表示制御方法。
【請求項２】
前記各列のサブピクセルに対応する左眼の画像データ又は右眼の画像データに基づいて、現在のフレームの画像中における各列のサブピクセルが表示する画像を順次に更新する同時に、現在のフレームの画像に対応する格子装置の遮光領域と透光領域とを更新するステップは、具体的に、
現在のフレームにおいていずれか１列のサブピクセルを更新している時、前記いずれか１列のサブピクセルに対応する格子装置の全ての透光領域を遮蔽し、
現在のフレームにおいて前記いずれか１列のサブピクセルが完全に更新完了した後、前記格子装置おける前記いずれか１列のサブピクセルに対応する領域が、前記いずれか１列のサブピクセルに隣接する次の列のサブピクセルにも対応する場合、前記隣接する次の列のサブピクセルがまた更新完了しない時、前記格子装置における前記いずれか１列のサブピクセルと前記隣接する次の列のサブピクセル両方に対応する透光領域の遮蔽を保持し、前記隣接する次の列のサブピクセルが完全に更新完了した時、前記格子装置における前記いずれか１列のサブピクセルと前記隣接する次の列のサブピクセル両方に対応する領域が直ちに遮光と透光の変換を行い、前記格子装置における前記いずれか１列のサブピクセルに対応する領域がほかの列のサブピクセルに対応しない場合、前記いずれか１列のサブピクセルが更新を完了した時、前記格子装置における前記いずれか１列のサブピクセルに対応する領域は直接に遮光と透光の変換を行うことを特徴とする請求項１に記載の３Ｄ表示制御方法。
【請求項３】
現在のフレームの画像に対応する格子装置における遮光領域および透光領域を更新することは、具体的に、
直前のフレームの画像の格子装置において第２ｎ−１列と第２ｎ列のサブピクセル両方に対応し、且つ、第１プリセット幅を有する領域が透光領域であり、ほかの領域が遮光領域である時、現在のフレームの画像に対応する格子装置において第２ｎ列と第２ｎ＋１列のサブピクセル両方に対応し、且つ、第２プリセット幅を有する領域を透光領域に、ほかの領域を遮光領域に更新し、その中でｎ＝１、２、３、．．．であり
直前のフレームの画像の格子装置において第２ｎ列と第２ｎ＋１列のサブピクセル両方に対応し、且つ、第２プリセット幅を有する領域が透光領域であり、ほかの領域が遮光領域である時、現在のフレームの画像に対応する格子装置において第２ｎ−１列と第２ｎ列のサブピクセル両方に対応し、且つ、第１プリセット幅を有する領域を透光領域に、ほかの領域を遮光領域に更新し、その中でｎ＝１、２、３、．．．であることを特徴とする請求項２に記載の３Ｄ表示制御方法。
【請求項４】
現在のフレームの画像に対応する格子装置において第２ｎ列と第２ｎ＋１列のサブピクセル両方に対応し、且つ、第２プリセット幅を有する領域を透光領域に、ほかの領域を遮光領域に更新することは、具体的に、
現在のフレームの画像が第１列のサブピクセルの画像を更新開始する前に、第１列と第２列のサブピクセルに対応する格子装置の領域が完全に遮光領域になるように、格子装置において第１列と第２列のサブピクセル両方に対応し、且つ、第１プリセット幅を有する透光領域を遮蔽し、第１列のサブピクセルの画像を完全に更新した後、格子装置において第１列のサブピクセルのみに対応する領域を透光領域に更新する同時に、第２列のサブピクセルの画像を更新し、
第２列のサブピクセルの画像を完全に更新した後、第３列と第４列のサブピクセルに対応する格子装置の領域が完全に遮光領域になるように、格子装置において第３列と第４列のサブピクセル両方に対応し、且つ、第１プリセット幅を有する透光領域を遮蔽するとともに、第３列のサブピクセルの画像を更新開始し、第３列のサブピクセルの画像を完全に更新した後、格子装置において第２列と第３列のサブピクセル両方に対応し、且つ、第２プリセット幅を有する領域を透光領域に更新し、その同時に第４列のサブピクセルの画像を更新し、
第４列のサブピクセルの画像を完全に更新した後、第５列と第６列のサブピクセルに対応する格子装置の領域が完全に遮光領域になるように、格子装置において第５列と第６列のサブピクセル両方に対応し、且つ、第１プリセット幅を有する透光領域を遮蔽するとともに、第５列のサブピクセルの画像を更新開始し、第５列のサブピクセルの画像を完全に更新した後、格子装置において第４列と第５列のサブピクセル両方に対応し、且つ、第２プリセット幅を有する領域を透光領域に更新し、同時に第６列のサブピクセルの画像を更新し、このように最後の列のサブピクセルが更新完了するまで行うことを特徴とする請求項３に記載の３Ｄ表示制御方法。
【請求項５】
現在のフレームの画像に対応する格子装置において第２ｎ−１列と第２ｎ列のサブピクセル両方に対応し、且つ、第１プリセット幅を有する領域を透光領域に、ほかの領域を遮光領域に更新することは、具体的に、
現在のフレームの画像が第１列のサブピクセルの画像を更新開始する前に、第１列のサブピクセルに対応する格子装置の領域が完全に遮光領域になるように、格子装置において第１列のサブピクセルに対応し、且つ、第２プリセット幅を有する透光領域を遮蔽し、第１列のサブピクセルの画像を更新し、第１列のサブピクセルの画像を完全に更新した後、格子装置において第２列と第３列のサブピクセル両方に対応し、且つ、第２プリセット幅を有する透光領域を遮蔽し、同時に第２列のサブピクセルの画像を更新し、第２列のサブピクセルの画像を完全に更新した後、格子装置において第１列と第２列のサブピクセル両方に対応し、且つ、第１プリセット幅を有する領域を透光領域に更新し、同時に第３列のサブピクセルの画像を更新し、
第３列のサブピクセルの画像を完全に更新した後、格子装置において第４列と第５列のサブピクセル両方に対応し、且つ、第２プリセット幅を有する透光領域を遮蔽し、同時に第４列のサブピクセルの画像を更新し、第４列のサブピクセルの画像を完全に更新した後、格子装置において第３列と第４列のサブピクセル両方に対応し、且つ、第１プリセット幅を有する領域を透光領域に更新し、同時に第５列のサブピクセルの画像を更新し、このように最後の列のサブピクセルを更新完了するまで更新することを特徴とする請求項３に記載の３Ｄ表示制御方法。
【請求項６】
前記現在のフレームの画像に対応する格子装置の遮光領域と透光領域とを更新することは、具体的に、
直前のフレームの画像に対応する視差バリア格子の遮光領域と透光領域とを更新することであることを特徴とする請求項１に記載の３Ｄ表示制御方法。
【請求項７】
第１プリセット幅が第２プリセット幅と等しいことを特徴とする請求項３に記載の３Ｄ表示制御方法。
【請求項８】
第１プリセット幅が第２プリセット幅と異なることを特徴とする請求項３に記載の３Ｄ表示制御方法。
【請求項９】
現在のフレームの画像中におけるディスプレーパネル上の各列のサブピクセルに対応する左眼の画像データ又は右眼の画像データを順次に取得するための画像取得ユニットと、
前記各列のサブピクセルに対応する左眼の画像データ又は右眼の画像データに基づいて、現在のフレームの画像中における各列のサブピクセルが表示する画像を順次に更新する同時に、現在のフレームの画像に対応する格子装置の遮光領域と透光領域とを更新して、裸眼３Ｄ画像の表示を実現するための３Ｄ表示制御ユニットと、
を備えることを特徴とする３Ｄ表示制御装置。
【請求項１０】
前記３Ｄ表示制御ユニットが現在のフレームの画像に対応する格子装置の遮光領域と透光領域とを更新することは、具体的に、
現在のフレームにおいていずれか１列のサブピクセルを更新している時、前記いずれか１列のサブピクセルに対応する格子装置の全ての透光領域を遮蔽し、
現在のフレームにおいて前記いずれか１列のサブピクセルが完全に更新完了した後、前記格子装置おける前記いずれか１列のサブピクセルに対応する領域が、前記いずれか１列のサブピクセルに隣接する次の列のサブピクセルにも対応する場合、前記隣接する次の列のサブピクセルがまた更新完了しない時、前記格子装置における前記いずれか１列のサブピクセルと前記隣接する次の列のサブピクセル両方に対応する透光領域の遮蔽を保持し、前記隣接する次の列のサブピクセルが完全に更新完了した時、前記格子装置における前記いずれか１列のサブピクセルと前記隣接する次の列のサブピクセル両方に対応する領域が直ちに遮光と透光の変換を行い、前記格子装置における前記いずれか１列のサブピクセルに対応する領域がほかの列のサブピクセルに対応しないと、前記いずれか１列のサブピクセルが更新を完了した時、前記格子装置における前記いずれか１列のサブピクセルに対応する領域は直接に遮光と透光の変換を行うことを特徴とする請求項９に記載の３Ｄ表示制御装置。
【請求項１１】
前記３Ｄ表示制御ユニットは、直前のフレームの画像の格子装置において第２ｎ−１列と第２ｎ列のサブピクセル両方に対応し、且つ、第１プリセット幅を有する領域が透光領域であり、ほかの領域が遮光領域である時、現在のフレームの画像に対応する格子装置において第２ｎ列と第２ｎ＋１列のサブピクセル両方に対応し、且つ、第２プリセット幅を有する領域を透光領域に、ほかの領域を遮光領域に更新し、その中でｎ＝１、２、３、．．．であり、
直前のフレームの画像に対応する格子装置において第２ｎ列と第２ｎ＋１列のサブピクセル両方に対応し、且つ、第２プリセット幅を有する領域が透光領域であり、ほかの領域が遮光領域である時、現在のフレームの画像に対応する格子装置において第２ｎ−１列と第２ｎ列のサブピクセル両方に対応し、且つ、第１プリセット幅を有する領域を透光領域に、ほかの領域を遮光領域に更新し、その中でｎ＝１、２、３、．．．であることを特徴とする請求項１０に記載の３Ｄ表示制御装置。
【請求項１２】
前記３Ｄ表示制御ユニットは、具体的に、現在のフレームの画像が第１列のサブピクセルの画像を更新開始する前に、第１列と第２列のサブピクセルに対応する格子装置の領域が完全に遮光領域になるように、格子装置において第１列と第２列のサブピクセル両方に対応し、且つ、第１プリセット幅を有する透光領域を遮蔽し、第１列のサブピクセルの画像を完全に更新した後、格子装置において第１列のサブピクセルのみに対応する領域を透光領域に更新する同時に、第２列のサブピクセルの画像を更新し、
第２列のサブピクセルの画像を完全に更新した後、第３列と第４列のサブピクセルに対応する格子装置の領域が完全に遮光領域になるように、格子装置において第３列と第４列のサブピクセル両方に対応し、且つ、第１プリセット幅を有する透光領域を遮蔽するとともに、第３列のサブピクセルの画像を更新開始し、第３列のサブピクセルの画像を完全に更新した後、格子装置において第２列と第３列のサブピクセル両方に対応し、且つ、第２プリセット幅を有する領域を透光領域に更新する同時に、第４列のサブピクセルの画像を更新し、
第４列のサブピクセルの画像を完全に更新した後、第５列と第６列のサブピクセルに対応する格子装置の領域が完全に遮光領域になるように、格子装置において第５列と第６列のサブピクセル両方に対応し、且つ、第１プリセット幅を有する透光領域を遮蔽するとともに、第５列のサブピクセルの画像を更新開始し、第５列のサブピクセルの画像を完全に更新した後、格子装置において第４列と第５列のサブピクセル両方に対応し、且つ、第２プリセット幅を有する領域を透光領域に更新する同時に、第６列のサブピクセルの画像を更新し、このように最後の列のサブピクセルが更新するまでに行うことを特徴とする請求項１１に記載の３Ｄ表示制御装置。
【請求項１３】
前記３Ｄ表示制御ユニットは、具体的に、現在のフレームの画像が第１列のサブピクセルの画像を更新開始する前に、第１列のサブピクセルに対応する格子装置の領域が完全に遮光領域になるように、格子装置において第１列のサブピクセルに対応する透光領域を遮蔽し、第１列のサブピクセルの画像を更新し、第１列のサブピクセルの画像を完全に更新した後、格子装置において第２列と第３列のサブピクセル両方に対応し、且つ、第２プリセット幅を有する透光領域を遮蔽する同時に、第２列のサブピクセルの画像を更新し、第２列のサブピクセルの画像を完全に更新した後、格子装置において第１列と第２列のサブピクセル両方に対応し、且つ、第１プリセット幅を有する領域を透光領域に更新し、同時に第３列のサブピクセルの画像を更新し、
第３列のサブピクセルの画像を完全に更新した後、格子装置において第４列と第５列のサブピクセル両方に対応し、且つ、第２プリセット幅を有する透光領域を遮蔽し、同時に第４列のサブピクセルの画像を更新し、第４列のサブピクセルの画像を完全に更新した後、格子装置において第３列と第４列のサブピクセル両方に対応し、且つ、第１プリセット幅を有する領域を透光領域に更新し、同時に第５列のサブピクセルの画像を更新し、このように最後の列のサブピクセルが更新するまでに行うことを特徴とする請求項１１に記載の３Ｄ表示制御装置。
【請求項１４】
前記格子装置が視差バリア格子であることを特徴とする請求項１０に記載の３Ｄ表示制御装置。
【請求項１５】
第１プリセット幅が第２プリセット幅と等しいことを特徴とする請求項１１に記載の３Ｄ表示制御装置。
【請求項１６】
第１プリセット幅が第２プリセット幅と異なることを特徴とする請求項１１に記載の３Ｄ表示制御装置。
【発明の詳細な説明】
【技術分野】
【０００１】
本発明は、３Ｄ表示制御方法および３Ｄ表示制御装置に関する。
【背景技術】
【０００２】
技術の発達につれて、３次元（３Ｄ）立体表示、特に裸眼３Ｄ立体表示は表示分野の動向になっている。３Ｄ立体表示は、信号制御または補助装置によって鑑賞者の左眼と右眼に「両眼の視差」がある一対の「立体画像対」を見せて、両眼視差原理に基づいて鑑賞者が３Ｄ効果を生じた３次元立体画像を見るようにする。図１ａに示すように、裸眼３Ｄ立体表示の一つの基本原理として、第１タイミングに、格子装置３３によってディスプレーパネル３０のサブピクセル３１からの光が異なる視界内に照射され、鑑賞者の左眼と右眼を異なる視界内に位置させることで、３Ｄ立体体験を生じる。且つ、図１ｂに示すように、第２タイミングに、奇数列と偶数列のサブピクセルに対応する格子装置の格子状態（即ち、遮光領域３３ａと透光領域３３ｂの変換）を変える。この際、人の目の刺激残像効果によって、鑑賞者の単眼は奇数列と偶数列のサブピクセルからの刺激を受け、単眼の解析度が低減しない。
【０００３】
従来の技術において、格子装置の格子状態が第１タイミングから第２タイミングに変える時、ディスプレーパネルも上から下に向ける画像の更新を行っている。この際、第１タイミングの画像と第２タイミングの画像とが同時に存在することになり、画像のクロストークが生じる。図２に、第２フレームの画面が第４行まで更新した状況を示し、この際、上半部は第２タイミングの格子状態に対応し、下半部は第１タイミングの格子状態に対応し、画像クロストークが生じる。
【発明の概要】
【発明が解決しようとする課題】
【０００４】
本発明の目的は、従来の技術に存在する３Ｄ画像のクロストーク問題を改善するための３Ｄ表示制御方法および３Ｄ表示制御装置を提供することである。
【課題を解決するための手段】
【０００５】
本発明の実施例で提供する３Ｄ表示制御方法は、
現在のフレームの画像中におけるディスプレーパネル上の各列のサブピクセルに対応する左眼の画像データ又は右眼の画像データを順次に取得するステップと、
前記各列のサブピクセルに対応する左眼の画像データ又は右眼の画像データに基づいて、現在のフレームの画像中における各列のサブピクセルが表示する画像を順次に更新する同時に、現在のフレームの画像に対応する格子装置の遮光領域と透光領域とを更新して、裸眼３Ｄ画像の表示を実現するステップと、
を含む。
【０００６】
本発明の実施例で提供する３Ｄ表示制御装置は、
現在のフレームの画像中におけるディスプレーパネル上の各列のサブピクセルに対応する左眼の画像データ又は右眼の画像データを順次に取得するための画像取得ユニットと、
前記各列のサブピクセルに対応する左眼の画像データ又は右眼の画像データに基づいて、現在のフレームの画像中における各列のサブピクセルが表示する画像を順次に更新する同時に、現在のフレームの画像に対応する格子装置の遮光領域と透光領域とを更新して、裸眼３Ｄ画像の表示を実現するための３Ｄ表示制御ユニットと、
を備える。
【０００７】
本発明の実施例の技術案をより明確に説明するために、以下、実施例に係る図面に対して簡単に紹介する。明らかに、以下の図面はただ本発明の部分的実施例に係り、本発明に対する限定ではない。
【図面の簡単な説明】
【０００８】
【図１ａ】図１ａは、裸眼３Ｄ立体表示の基本原理の概略図（第１タイミング）である。
【図１ｂ】図１ｂは、裸眼３Ｄ立体表示の基本原理の概略図（第２タイミング）である。
【図２】図２は、画像に生じるクロストークの概略図である。
【図３】図３は、本発明の実施例に係るディスプレーパネルの構造概略図である。
【図４】図４は、本発明の実施例で提供される３Ｄ表示システムの概略図である。
【図５】図５は、本発明の実施例で提供される格子装置の具体構造の概略図である。
【図６】図６は、本発明の実施例で提供される３Ｄ表示制御方法のフローチャートの概略図である。
【図７】図７は、本発明の実施例で提供される直前のフレームの画像が更新された後の画像および遮光状態の概略図である。
【図８】図８は、本発明の実施例で提供される現在のフレームの画像が更新された後の画像概略図である。
【図９】図９は、本発明の実施例で提供される現在のフレームの画像が更新された後の画像および遮光状態の概略図である。
【図１０】図１０は、本発明の実施例で提供される現在のフレームの第１列サブピクセルが更新された後の画像および遮光状態の概略図である。
【図１１】図１１は、本発明の実施例で提供される現在のフレームの第２列サブピクセルが更新された後の画像および遮光状態の概略図である。
【図１２】図１２は、本発明の実施例で提供される現在のフレームの第３列サブピクセルが更新された後の画像および遮光状態の概略図である。
【図１３】図１３は、本発明の実施例で提供される現在のフレームの第４列サブピクセルが更新された後の画像および遮光状態の概略図である。
【図１４】図１４は、本発明の実施例で提供される現在のフレームの第５列サブピクセルが更新された後の画像および遮光状態の概略図である。
【図１５】図１５は、本発明の実施例で提供される直後のフレームの第１列サブピクセルが更新された後の画像および遮光状態の概略図である。
【図１６】図１６は、本発明の実施例で提供される直後のフレームの第２列サブピクセルが更新された後の画像および遮光状態の概略図である。
【図１７】図１７は、本発明の実施例で提供される直後のフレームの第３列サブピクセルが更新された後の画像および遮光状態の概略図である。
【図１８】図１８は、本発明の実施例で提供される直後のフレームの第４列サブピクセルが更新された後の画像および遮光状態の概略図である。
【図１９】図１９は、本発明の実施例で提供される直後のフレームの第５列サブピクセルが更新された後の画像および遮光状態の概略図である。
【図２０】図２０は、本発明の実施例で提供される３Ｄ表示制御方法に対応する装置構造の概略図である。
【発明を実施するための形態】
【０００９】
本発明の実施例の目的、技術案およびメリットをより明確に説明するために、以下、本発明の実施例の図面を結合して、本発明の実施例の技術案を明確且つ完全に説明する。明らかに、記載された実施例は本発明の部分的実施例であり、全部の実施例ではない。当該記載された本発明の実施例に基づいて、この分野の従業者が創造的な労働なく得られるほかの全ての実施例も全部本発明の保護範囲内に入るべきである。
【００１０】
本発明の実施例は、従来の技術中３Ｄ表示に存在する画像のクロストーク問題を改善するための３Ｄ表示制御方法および３Ｄ表示制御装置を提供する。
【００１１】
以下、３Ｄ表示システムを結合して、本発明の実施例で提供される３Ｄ表示制御方法および３Ｄ表示制御装置を説明する。
【００１２】
前記３Ｄ表示システムは、少なくともディスプレーパネルおよびディスプレーパネルの上方に位置する格子装置を備える。本発明の実施例は、列走査の方式で画像表示を実現するディスプレーパネルを基礎に、格子装置を結合して画像のクロストークが小さい３Ｄ画像表示を実現する。
【００１３】
以下、まず、本発明の実施例で提供される列走査型ディスプレーパネルおよび３Ｄ表示システムを紹介する。
【００１４】
図３に示すように、本発明の実施例で提供される列走査型ディスプレーパネルは、列方向に沿って設置された一組のゲートライン３５と、行方向に沿って設置された一組のデータライン３６とを備える。その中で、隣接する２本のゲートライン３５と隣接する２本のデータライン３６は、一つのサブピクセル３１を限定する。各サブピクセル３１内に、薄膜トランジスター３７と画素電極３８とを備える。薄膜トランジスター３７のゲート電極はゲートライン３５に、薄膜トランジスター３７のソース電極はデータライン３６に、薄膜トランジスター３７のドレイン電極は画素電極３８にそれぞれ接続される。
【００１５】
複数本のゲートライン３５とデータライン３６とは、駆動制御回路に接続され、あるタイミングに一列のサブピクセルのみに対して走査を行う。例えば、第１タイミングに、ゲートラインＧ１には高電圧を、ほかのゲートラインには低電圧を入力して、ゲートラインＧ１に対応する列のサブピクセル３１内の薄膜トランジスター３７をオンにし、データライン３６は薄膜トランジスター３７を介して画素電極３８に信号電圧を入力して画像表示を実現する。第２タイミングに、ゲートラインＧ２には高電圧を、ほかのゲートラインには低電圧を入力して、ゲートラインＧ２に対応する列のサブピクセル３１内の薄膜トランジスター３７をオンにし、データライン３６は薄膜トランジスター３７を介して画素電極３８に信号電圧を入力して画像表示を実現する。このように、ディスプレーパネルは、列走査方式で各列のサブピクセルを更新する。
【００１６】
図４に示すように、本発明の実施例で提供される３Ｄ表示システムは、図３に示す列走査型ディスプレーパネル３０、列走査型ディスプレーパネル３０の上方に位置する格子装置３３、および列走査型ディスプレーパネル３０と格子装置３３とを接続する制御設備３２を備える。
【００１７】
図５は、図４に示す格子装置３３の具体構造の概略図である。図５を参照すると、格子装置３３は複数個の格子ユニットを備え、各格子ユニットは隣接する２列のサブピクセルに対応する。各格子ユニットは、第１領域３３ｂと、第１領域３３ｂの両側に位置する同じサイズの第２領域３３ａを含み、前記第１領域３３ｂと二つの第２領域３３ａは、現在のフレームの画面がまた更新されていない時に、それぞれ遮光状態と透光状態を表示する。
【００１８】
制御設備３２は、格子装置３３において一つの格子ユニットの第１領域３３ｂが、現在の列のサブピクセルとまた更新されていない隣接する列のサブピクセルとに対応する時、前記現在の列のサブピクセル及び前記隣接する列のサブピクセルが更新された場合、遮光状態を表示するように前記第１領域３３ｂを制御し、且つ、
現在のフレームの画面がまた更新されていない際に第１列サブピクセルの左側領域が第１領域に対応する時、第１列サブピクセルを更新すると、格子装置３３の前記第１列サブピクセルの左側領域に対応する部分が遮光状態を表示するように制御する。
【００１９】
一つの実施例として、前記制御設備３２は、すでに更新完了した列のサブピクセルに対応する格子装置３３の領域を現在のフレームの画面が更新完了した後の格子状態に表示するようにさらに制御するためのものである。
【００２０】
もう一つの実施例として、前記制御設備３２は、現在の列のサブピクセルの更新が完了した後、現在の列のサブピクセルとすでに更新された隣接する列のサブピクセルとに対応する格子装置３３の領域を現在のフレームの画面が更新完了した後の格子状態に表示するようにさらに制御するためのものである。
【００２１】
本発明の実施例の３Ｄ表示制御システムは、バックライトをさらに備える。前記格子装置はディスプレーパネルの出光面の一側に位置し、あるいは、前記格子装置はバックライトとディスプレーパネルとの間に位置する。
【００２２】
前記格子装置３３は、アクディブ型の視差バリアである。アクディブ型の視差バリアは、液晶パネルで製造してもよく、エレクトロクロミック材料からなるパネルで製造してもよい。また、アクディブ型の視差バリアは、交互に配列される透光領域と遮光領域とを周期的に現れるように主動的に制御できるほかの光学デバイスであってもよい。
【００２３】
前記列走査のディスプレーパネルは、薄膜トランジスター液晶ディスプレーパネル、プラズマディスプレーパネル、又はＥＬ発光ディスプレーパネル等であってもよい。本発明の実施例において、列走査のディスプレーパネルは薄膜トランジスター液晶ディスプレーパネルであり、一組のゲートラインは列方向に沿って設置され、一組のデータラインは行方向に沿って設置される。
【００２４】
図４に示すシステムに基づいて、本発明の実施例に係る３Ｄ表示を実現する制御方法および３Ｄ表示制御装置を説明する。
【００２５】
図６を参照すると、本発明の実施例で提供される３Ｄ表示制御方法は、
現在のフレームの画像中におけるディスプレーパネル上の各列のサブピクセルに対応する左眼の画像データ又は右眼の画像データを順次に取得するステップＳ２１と、
前記各列のサブピクセルに対応する左眼の画像データ又は右眼の画像データに基づいて、直前のフレームの画像中における各列のサブピクセルが表示する画像を順次に更新する同時に、直前のフレームの画像に対応する格子装置の遮光領域と透光領域とを更新して、裸眼３Ｄ画像の表示を実現するステップＳ２２と、
を含む。
【００２６】
ここで、ステップＳ２２は、具体的に、現在のフレームにおいていずれか１列のサブピクセルを更新している時、前記いずれか１列のサブピクセルに対応する格子装置の全ての透光領域を遮蔽する。
【００２７】
現在のフレームにおいて前記いずれか１列のサブピクセルが完全に更新完了した後、前記格子装置おける前記いずれか１列のサブピクセルに対応する領域が、前記いずれか１列のサブピクセルに隣接する次の列のサブピクセルにも対応する場合、前記隣接する次の列のサブピクセルがまた更新完了しない時、前記格子装置における前記いずれか１列のサブピクセルと前記隣接する次の列のサブピクセル両方に対応する透光領域の遮蔽を保持する。前記隣接する次の列のサブピクセルが完全に更新完了した時、前記格子装置における前記いずれか１列のサブピクセルと前記隣接する次の列のサブピクセル両方に対応する領域が直ちに遮光と透光の変換を行う。前記格子装置における前記いずれか１列のサブピクセルに対応する領域がほかの列のサブピクセルに対応しないと、前記いずれか１列のサブピクセルが更新を完了した時、前記格子装置における前記いずれか１列のサブピクセルに対応する領域は直接に遮光と透光の変換を行う。
【００２８】
以下、図面を参照して、図６に示す３Ｄ表示制御方法を具体的に説明する。
【００２９】
本発明において、３Ｄ表示を実現する簡単な過程は、
ディスプレーパネル上におけるフレームごとの画像に対して、１列の左眼の画像と１列の右眼の画像とを交互に表示する。１列の画像は１列のサブピクセルに対応する。隣接する２つのフレームの画像は、毎列のサブピクセルに対して、直前のフレームの画像では左眼の画像を表示し、現在のフレームの画像では右眼の画像を表示する。つまり、制御設備が直前のフレームの画像が表示される前に取得した画像データは順次に１Ｌ−２Ｒ−３Ｌ−４Ｒ−５Ｌ−６Ｒ−．．．であり、現在のフレームの画像が表示される前に取得した画像データは順次に１Ｒ―２Ｌ−３Ｒ―４Ｌ−５Ｒ―６Ｌ―．．．である。１，２，３，４、５、６は画像における各列のサブピクセルの番号を意味し、「Ｒ」は右眼の画像、「Ｌ」は左眼の画像を意味する。
【００３０】
格子装置はディスプレーパネルの画像の更新に基づいて、サブピクセルに対応する遮光領域と透光領域とを同時に更新する。
【００３１】
直前のフレームの画像に係るディスプレーパネル上における奇数列のサブピクセルは左眼の画像（Ｌ）を表示し、偶数列のサブピクセルは右眼の画像（Ｒ）を表示する。即ち、制御設備が取得した画像データは順次に１Ｌ−２Ｒ−３Ｌ−４Ｒ−５Ｌ−６Ｒ−．．．である。そして、直前のフレームの画像に対応する格子装置において第２ｎ−１列と第２ｎ列のサブピクセル両方に対応し、且つ、プリセット幅を有する領域が透光領域であり、ほかの領域が遮光領域である。その中で、ｎ＝１、２、３、．．．である。図７は、直前のフレームの画像に係るディスプレーパネルと格子構造表示原理の概略図である。
【００３２】
ステップ１：現在のフレームの画像中におけるディスプレーパネル上の各列のサブピクセルに対応する左眼の画像データ又は右眼の画像データを順次に取得する。例えば、図８は、複数の列のサブピクセルに対応する画像であり、制御設備が取得する画像データは順次に１Ｒ−２Ｌ−３Ｒ−４Ｌ−５Ｒ−６Ｌ−．．．である。
【００３３】
ステップ２：画像データ１Ｒ−２Ｌ−３Ｒ−４Ｌ−５Ｒ−６Ｌ−．．．に基づいて、現在のフレームの画像中における各列のサブピクセルが表示する画像を順次に更新する同時に、現在のフレームの画像に対応する格子装置の遮光領域と透光領域とを更新して、裸眼３Ｄ画像の表示を実現する
【００３４】
更新後の現在のフレームの画像における各列のサブピクセルが表示する画像は、図８に示されている。図９に示すように、現在のフレームの画像に対応する格子装置において第２ｎ列と第２ｎ＋１列のサブピクセル両方に対応し、且つ、プリセット幅を有する領域が透光領域であり、ほかの領域が遮光領域である。その中で、ｎ＝１、２、３、．．．である。
【００３５】
以下、現在のフレームの画像において毎列のサブピクセルと格子装置との対応領域における遮光領域および透光領域を更新する具体的な過程を紹介する。以下のような二つの情況を含む。
第１情況：直前のフレームの画像に対応する格子装置において第２ｎ−１列と第２ｎ列のサブピクセル両方に対応し、且つ、プリセット幅を有する領域が透光領域であり、ほかの領域が遮光領域である時、現在のフレームの画像に対応する格子装置において第２ｎ列と第２ｎ＋１列のサブピクセル両方に対応し、且つ、プリセット幅を有する領域を透光領域に、ほかの領域を遮光領域に更新する。その中で、ｎ＝１、２、３、．．．である。即ち、図７に示す画像表示と格子状態を図９に示す画像表示と格子状態に更新する。
第２情況：直前のフレームの画像に対応する格子装置において第２ｎ列と第２ｎ＋１列のサブピクセル両方に対応し、且つ、プリセット幅を有する領域が透光領域であり、ほかの領域が遮光領域である時、現在のフレームの画像に対応する格子装置において第２ｎ−１列と第２ｎ列のサブピクセル両方に対応し、且つ、プリセット幅を有する領域を透光領域に、ほかの領域を遮光領域に更新する。その中で、ｎ＝１、２、３、．．．である。即ち、図９に示す画像表示と格子状態を図７に示す画像表示と格子状態に更新する。
【００３６】
第１情況に対して、具体的に、
現在のフレームの画像が第１列のサブピクセルの画像を更新開始する前に、第１列と第２列のサブピクセルに対応する格子装置の領域が完全に遮光領域になるように、格子装置において第１列と第２列のサブピクセル両方に対応し、且つ、プリセット幅を有する透光領域を遮蔽する。第１列のサブピクセルの画像を完全に更新した後、格子装置において第１列のサブピクセルのディスプレーパネルの縁部に近づくプリセット幅に対応する領域（第１列のサブピクセルに対応する領域のみ）を透光領域に更新する同時に、第２列のサブピクセルの画像を更新し、且つ、第３列と第４列のサブピクセルに対応する格子装置の領域が完全に遮光領域になるように、格子装置において第３列と第４列のサブピクセル両方に対応し、プリセット幅を有する透光領域を遮蔽する。
第２列のサブピクセルの画像を完全に更新した後、第３列のサブピクセルの画像を更新開始する。第３列のサブピクセルの画像を完全に更新した後、格子装置において第２列と第３列のサブピクセル両方に対応し、且つ、プリセット幅を有する領域を透光領域に更新する。同時に、第４列のサブピクセルの画像を更新し、且つ、第５列と第６列のサブピクセルに対応する格子装置の領域が完全に遮光領域になるように、格子装置において第５列と第６列のサブピクセル両方に対応し、且つ、プリセット幅を有する透光領域を遮蔽する。このように、最後の列のサブピクセルが更新完了するまで行う。
【００３７】
第２情況に対して、具体的に、
現在のフレームの画像が第１列のサブピクセルの画像を更新開始する前に、第１列のサブピクセルに対応する格子装置の領域が完全に遮光領域になるように、格子装置において第１列のサブピクセルのディスプレーパネルの縁部に近づく領域に対応する透光領域を遮蔽する。第１列のサブピクセルの画像を更新し、第１列のサブピクセルの画像を完全に更新した後、格子装置において第２列と第３列のサブピクセル両方に対応し、且つ、プリセット幅を有する透光領域を遮蔽する。同時に、第２列のサブピクセルの画像を更新し、第２列のサブピクセルの画像を完全に更新した後、格子装置において第１列と第２列のサブピクセル両方に対応し、且つ、プリセット幅を有する領域を透光領域に更新し、同時に第３列のサブピクセルの画像を更新する。
第３列のサブピクセルの画像を完全に更新した後、格子装置において第４列と第５列のサブピクセル両方に対応し、且つ、プリセット幅を有する透光領域を遮蔽し、同時に第４列のサブピクセルの画像を更新し、第４列のサブピクセルの画像を完全に更新した後、格子装置において第３列と第４列のサブピクセル両方に対応し、且つ、プリセット幅を有する領域を透光領域に更新し、同時に第５列のサブピクセルの画像を更新する。このように、各列のサブピクセルの画像の透光・遮光状態を順次に更新する。
【００３８】
以下、図面を結合して上記第１情況に係る画像更新過程を具体的に説明する。
【００３９】
１．第１列のサブピクセルの画像更新：現在のフレームの画像が第１列のサブピクセルの画像を更新開始する前に、第１列と第２列のサブピクセルに対応する格子装置領域が完全に遮光領域になるように、図７に示す格子装置において第１列と第２列のサブピクセル両方に対応し、且つ、プリセット幅を有する透光領域を遮蔽する。第１列のサブピクセルを左眼の画像から完全に右眼の画像に更新した時、図１０に示すように、格子装置において第１列のサブピクセル（左側に近づく、即ち、ディスプレーパネルの縁部側に近づく）のみに対応する領域を透光領域に更新する。
第１列のサブピクセルに対応する格子装置の遮光領域或は透光領域の状態を更新する時、第１列のサブピクセルと第２列のサブピクセル両方が右眼の画像を表示するため、クロストークを形成する。本発明の実施例によると、第１列のサブピクセルを更新する同時に、格子装置において第１列と第２列のサブピクセル両方に対応し、且つ、プリセット幅を有する透光領域を遮蔽して、第１列のサブピクセルと第２列のサブピクセルとの間でクロストークを表示する不都合を避ける。以下の画像更新過程でも同じ通りである。
【００４０】
２．第２列のサブピクセルの画像更新：第２列のサブピクセルを更新する過程で、格子装置における遮光領域と透光領域との状態は変えない。
第２列のサブピクセルが右眼の画像から完全に左眼の画像に更新した時、図１１に示すように、第３列と第４列のサブピクセルに対応する格子装置領域が完全に遮光領域になるように、図１０に示す格子装置において第３列と第４列のサブピクセル両方に対応し、且つ、プリセット幅を有する透光領域を遮蔽する。
【００４１】
３．第３列のサブピクセルの画像更新：第３列のサブピクセルが左眼の画像から完全に右眼の画像に更新した時、図１２に示すように、図１１に示す格子装置において第２列と第３列のサブピクセル両方に対応し、且つ、プリセット幅を有する領域を透光領域に更新する。
【００４２】
４．第４列のサブピクセルの画像更新：第４列のサブピクセルが右眼の画像から完全に左眼の画像に更新した時、図１３に示すように、図１２に示す第５列と第６列のサブピクセルに対応する格子装置領域が完全に遮光領域になるように、格子装置において第５列と第６列のサブピクセル両方に対応し、且つ、プリセット幅を有する透光領域を遮蔽する。
【００４３】
５．第５列のサブピクセルの画像更新：第５列のサブピクセルが左眼の画像から完全に右眼の画像に更新した時、図１４に示すように、格子装置において第４列と第５列のサブピクセル両方に対応し、且つ、プリセット幅を有する領域を透光領域に更新する。
【００４４】
後の毎列のサブピクセルの画像をこのように更新する。
仮に第６列のサブピクセルが最後の列のサブピクセルであれば、第６列のサブピクセルを以下のように更新する。
【００４５】
６．第６列のサブピクセルの画像更新：第６列のサブピクセルが右眼の画像から完全に左眼の画像に更新した時、図１４に示す格子装置において第６列のサブピクセル（最右側、即ち、ディスプレーパネルの縁部側に近づく）に対応する領域を透光領域に更新する。更新完了の画像は図９に示すようである。
【００４６】
上述したのは、現在のフレームを更新する過程である。以下、直後のフレームの画像の更新過程、つまり、図９に示す画像表示と格子状態を図７に示す画像表示と格子状態に更新する過程について説明する（つまり、上述した第２情況の更新過程）。
【００４７】
１．第１列のサブピクセルの画像更新：現在のフレームの画像が第１列のサブピクセルの画像１Ｒを更新開始する前に、第１列のサブピクセルに対応する格子装置領域が完全に遮光領域になるように、格子装置において第１列のサブピクセルのディスプレーパネルの縁部に近づくプリセット幅の領域に対応する透光領域を遮蔽する。第１列のサブピクセルの画像を更新して、図１５に示すように、第１列のサブピクセルの画像が右眼の画像から左眼の画像に更新される。第１列のサブピクセルが更新の過程で完全に遮蔽されるため、第２列のサブピクセルに対応する領域において第１列のサブピクセルと隣接する領域も遮光状態になることで、第１列のサブピクセルが更新する過程で第２列のサブピクセルと画像のクロストークを生じない。
【００４８】
２．第２列のサブピクセルの画像更新：第１列のサブピクセルの画像を完全に更新完了した後、図１５に示す格子装置において第２列と第３列のサブピクセル両方に対応し、且つ、プリセット幅を有する透光領域を遮蔽する同時に、第２列のサブピクセルの画像を更新し、第２列のサブピクセルの画像が左眼の画像から完全に右眼の画像更新した時、図１６に示すように、格子装置において第１列と第２列のサブピクセル両方に対応し、且つ、プリセット幅を有する領域を透光領域に更新する。
【００４９】
３．第３列のサブピクセルの画像更新：格子装置において第１列と第２列のサブピクセル両方に対応し、且つ、プリセット幅を有する領域を透光領域に更新した後、図１７に示すように、第３列のサブピクセルの画像を右眼の画像から左眼の画像に更新する。
【００５０】
４．第４列のサブピクセルの画像更新：第３列のサブピクセルの画像を完全に更新した後、図１７に示す格子装置において第４列と第５列のサブピクセル両方に対応し、且つ、プリセット幅を有する透光領域を遮蔽する同時に、第４列のサブピクセルの画像を更新し、第４列のサブピクセルの画像が左眼の画像から完全に右眼の画像更新した時、図１８に示すように、格子装置において第３列と第４列のサブピクセル両方に対応し、且つ、プリセット幅を有する領域を透光領域に更新する。
【００５１】
５．第５列のサブピクセルの画像更新：格子装置において第３列と第４列のサブピクセル両方に対応し、且つ、プリセット幅を有する領域を透光領域に更新した後、図１９に示すように、第５列のサブピクセルの画像を右眼の画像から左眼の画像に更新する。
【００５２】
このように、後の毎列のサブピクセルの画像における透光や遮光状態を順次に更新する。
仮に第６列の画像が最後の列の画像であれば、最後の列の画像を以下のように更新する。
【００５３】
６．第６列のサブピクセルの画像更新：第５列のサブピクセルの画像を完全に更新した後、図１９に示す第６列のサブピクセルの透光領域を遮蔽する同時に、第６列のサブピクセルの画像を更新し、第６列のサブピクセルの画像が左眼の画像から完全に右眼の画像に更新した時、図７に示す画像表示と格子状態のように、格子装置において第５列と第６列のサブピクセル両方に対応し、且つ、プリセット幅を有する領域を透光領域に更新する。
【００５４】
このように、右を向け更新を完了するまで更新を続ける。次に直後のフレームの画面における表示と格子の更新を行う。画像のフレームの間で、前のフレームの画像が図７に示す画像表示と格子状態であれば、次のフレームの画像は図９に示す画像表示と格子状態に更新され、さらに次のフレームの画像は図７に示す画像表示と格子状態に更新され、もっとさらに次のフレームの画像は図９に示す画像表示と格子状態に更新される。
【００５５】
また、本発明の実施例は、３Ｄ表示制御方法に対応する３Ｄ表示制御装置を提供する。図２０を参照すると、当該装置は、
現在のフレームの画像中におけるディスプレーパネル上の各列のサブピクセルに対応する左眼の画像データ又は右眼の画像データを順次に取得するための画像取得ユニット９１と、
前記各列のサブピクセルに対応する左眼の画像データ又は右眼の画像データに基づいて直前のフレームの画像中における各列のサブピクセルが表示する画像を順次に更新する同時に、直前のフレームの画像に対応する格子装置の遮光領域と透光領域とを更新して、裸眼３Ｄ画像の表示を実現するための３Ｄ表示制御ユニット９２と、
を備える。
【００５６】
具体的に、３Ｄ表示制御ユニット９２は、
現在のフレームにおいていずれか１列のサブピクセルを更新している時、前記いずれか１列のサブピクセルに対応する格子装置の全ての透光領域を遮蔽し、
現在のフレームにおいて前記いずれか１列のサブピクセルが完全に更新完了した後、前記格子装置おける前記いずれか１列のサブピクセルに対応する領域が、前記いずれか１列のサブピクセルに隣接する次の列のサブピクセルにも対応する場合、前記隣接する次の列のサブピクセルがまた更新完了しない時、前記格子装置における前記いずれか１列のサブピクセルと前記隣接する次の列のサブピクセル両方に対応する透光領域の遮蔽を保持する。前記隣接する次の列のサブピクセルが完全に更新完了した時、前記格子装置における前記いずれか１列のサブピクセルと前記隣接する次の列のサブピクセル両方に対応する領域が直ちに遮光と透光の変換を行う。前記格子装置における前記いずれか１列のサブピクセルに対応する領域がほかの列のサブピクセルに対応しないと、前記いずれか１列のサブピクセルが更新を完了した時、前記格子装置における前記いずれか１列のサブピクセルに対応する領域は直接に遮光と透光の変換を行う。
【００５７】
また、３Ｄ表示制御ユニット９２は、具体的に、直前のフレームの画像の格子装置において第２ｎ−１列と第２ｎ列のサブピクセル両方に対応し、且つ、プリセット幅を有する領域が透光領域であり、ほかの領域が遮光領域である時、現在のフレームの画像に対応する格子装置において第２ｎ列と第２ｎ＋１列のサブピクセル両方に対応し、且つ、プリセット幅を有する領域を透光領域に、ほかの領域を遮光領域に更新する。その中で、ｎ＝１、２、３、．．．である。
また、直前のフレームの画像に対応する格子装置において第２ｎ列と第２ｎ＋１列のサブピクセル両方に対応し、且つ、プリセット幅を有する領域が透光領域であり、ほかの領域が遮光領域である時、現在のフレームの画像に対応する格子装置において第２ｎ−１列と第２ｎ列のサブピクセル両方に対応し、且つ、プリセット幅を有する領域を透光領域に、ほかの領域を遮光領域に更新する。その中で、ｎ＝１、２、３、．．．である。
【００５８】
また、直前のフレームの画像の格子装置において第２ｎ−１列と第２ｎ列のサブピクセル両方に対応し、且つ、プリセット幅を有する領域が透光領域であり、ほかの領域が遮光領域である時、３Ｄ表示制御ユニット９２は、具体的に、現在のフレームの画像が第１列のサブピクセルの画像を更新開始する前に、第１列と第２列のサブピクセルに対応する格子装置の領域が完全に遮光領域になるように、格子装置において第１列と第２列のサブピクセル両方に対応し、且つ、プリセット幅を有する透光領域を遮蔽する。第１列のサブピクセルの画像を完全に更新した後、格子装置の第１列のサブピクセルに対応する領域のみを透光領域に更新する同時に、第２列のサブピクセルの画像を更新する。
第２列のサブピクセルの画像を完全に更新した後、第３列と第４列のサブピクセルに対応する格子装置の領域が完全に遮光領域になるように、格子装置において第３列と第４列のサブピクセル両方に対応し、プリセット幅を有する透光領域を遮蔽するとともに、第３列のサブピクセルの画像を更新開始し、第３列のサブピクセルの画像を完全に更新した後、格子装置において第２列と第３列のサブピクセル両方に対応し、且つ、プリセット幅を有する領域を透光領域に更新する。同時に、第４列のサブピクセルの画像を更新する。
第４列のサブピクセルの画像を完全に更新した後、第５列と第６列のサブピクセルに対応する格子装置の領域が完全に遮光領域になるように、格子装置において第５列と第６列のサブピクセル両方に対応し、且つ、プリセット幅を有する透光領域を遮蔽するとともに、第５列のサブピクセルの画像を更新開始する。第５列のサブピクセルの画像を完全に更新した後、格子装置において第４列と第５列のサブピクセル両方に対応し、且つ、プリセット幅を有する領域を透光領域に更新し、同時に第６列のサブピクセルの画像を更新する。このように、最後の列のサブピクセルが更新するまでに行う。
【００５９】
また、直前のフレームの画像の格子装置において第２ｎ列と第２ｎ＋１列のサブピクセル両方に対応し、且つ、プリセット幅を有する領域が透光領域であり、ほかの領域が遮光領域である時、３Ｄ表示制御ユニット９２は、具体的に、現在のフレームの画像が第１列のサブピクセルの画像を更新開始する前に、第１列のサブピクセルに対応する格子装置の領域が完全に遮光領域になるように、格子装置において第１列のサブピクセルに対応する透光領域を遮蔽する。第１列のサブピクセルの画像を更新し、第１列のサブピクセルの画像を完全に更新した後、格子装置において第２列と第３列のサブピクセル両方に対応し、且つ、プリセット幅を有する透光領域を遮蔽する。同時に、第２列のサブピクセルの画像を更新し、第２列のサブピクセルの画像を完全に更新した後、格子装置において第１列と第２列のサブピクセル両方に対応し、且つ、プリセット幅を有する領域を透光領域に更新し、同時に第３列のサブピクセルの画像を更新する。
第３列のサブピクセルの画像を完全に更新した後、格子装置において第４列と第５列のサブピクセル両方に対応し、且つ、プリセット幅を有する透光領域を遮蔽し、同時に第４列のサブピクセルの画像を更新し、第４列のサブピクセルの画像を完全に更新した後、格子装置において第３列と第４列のサブピクセル両方に対応し、且つ、プリセット幅を有する領域を透光領域に更新し、同時に第５列のサブピクセルの画像を更新する。このように、各列のサブピクセルの画像の透光・遮光状態を順次に更新する。
【００６０】
ここで、なお、格子装置において第２ｎ列と第２ｎ＋１列のサブピクセル両方に対応する透光領域のプリセット幅は、格子装置において第２ｎ−１列と第２ｎ列のサブピクセル両方に対応する透光領域のプリセット幅と等しいでもよく、異なってもよい。
【００６１】
また、前記格子装置は、視差バリア格子でもよい。
【００６２】
ここで、なお、格子装置の透光領域と遮光領域が遮光と透光の状態を変換する時、遮光領域と透光領域のサイズは変えてもよく、変えなくてもよい。変換後の格子装置が左眼の画像と右眼の画像を分離できればよい。例えば、前のフレームにおいて透光領域のサイズがａであり、次のフレームで当該透光領域が遮光領域に変換して、遮光領域のサイズがｂであれば、ｂはａと等しいでもよく、異なってもよい。
【００６３】
本発明の実施例において、ある列のサブピクセルの画像を更新する時、格子装置において隣接する列のサブピクセルと当該列のサブピクセルとに対応する領域を遮光領域に制御して、現在の列のサブピクセル画像を更新する時、隣接する列のサブピクセルとのクロストークを生じることを避ける。
【００６４】
明らかに、この分野の従業者は、本発明の旨を超えずに様々な変更や変形をすることができ、このような変更や変形が本発明の特許請求の範囲およびそれと等しい技術範囲内に入れば、同じく本発明の含められるべきである。
【符号の説明】
【００６５】
３０  ディスプレーパネル
３２  制御設備
３３  格子装置
【図１ａ】
2016514389.tif 000003
【図１ｂ】
2016514389.tif 000004
【図２】
2016514389.tif 000005
【図３】
2016514389.tif 000006
【図４】
2016514389.tif 000007
【図５】
2016514389.tif 000008
【図６】
2016514389.tif 000009
【図７】
2016514389.tif 000010
【図８】
2016514389.tif 000011
【図９】
2016514389.tif 000012
【図１０】
2016514389.tif 000013
【図１１】
2016514389.tif 000014
【図１２】
2016514389.tif 000015
【図１３】
2016514389.tif 000016
【図１４】
2016514389.tif 000017
【図１５】
2016514389.tif 000018
【図１６】
2016514389.tif 000019
【図１７】
2016514389.tif 000020
【図１８】
2016514389.tif 000021
【図１９】
2016514389.tif 000022
【図２０】
2016514389.tif 000023
【国際調査報告】
2016514389.tif 000024
2016514389.tif 000025
2016514389.tif 000026
2016514389.tif 000027